(57)【特許請求の範囲】
【請求項１】
携帯通信端末と、前記携帯通信端末を管理する端末管理装置と、インタネットに接続され広告データが格納された複数の広告ページを有するサーバと、前記サーバの各広告ページを管理する広告管理装置とを含み、前記携帯通信端末の非使用時の画面である待受画面に広告の表示が可能な広告システムであって、
前記広告管理装置は、前記端末管理装置に前記広告ページのＵＲＬを登録する手段を有し、
前記端末管理装置は、
前記携帯通信端末の前記待受画面にインタネット上のページが設定されることにより、前記携帯通信端末から前記待受画面に設定された前記ページのＵＲＬが通知されると、通知されたＵＲＬが前記広告管理装置によって既に自身に登録されている場合は前記ＵＲＬを広告管理装置へ通知する通知手段と、
前記通知手段のＵＲＬ通知に対し、そのＵＲＬが前記広告管理装置自身に登録されていることにより、前記広告管理装置から登録許可が通知されるとこの登録許可された登録ＵＲＬを前記携帯通信端末へ送信する送信手段と、
前記送信手段の登録ＵＲＬの送信に対し、前記携帯通信端末からのこのＵＲＬに該当する広告ページの広告データの送信要求を受信すると、前記サーバに前記ＵＲＬの広告データの送信要求を通知する手段と、
前記サーバへの広告データの送信要求に対し、前記サーバから送信される広告データを受信するとこの受信広告データを前記携帯通信端末へ送信する手段を含み、
さらに、前記携帯通信端末は、受信した前記広告データを前記待受画面に表示する表示手段を備えたことを特徴とする広告システム。
【請求項２】
請求項１において、
前記端末管理装置は、前記携帯通信端末から待受画面の解除に基づく解除情報が通知されると、この解除情報を広告管理装置へ通知する手段を有することを特徴とする広告システム。
【請求項３】
携帯通信端末と、前記携帯通信端末を管理する端末管理装置と、インタネットに接続され広告データが格納された複数の広告ページを有するサーバと、前記サーバの各広告ページを管理する広告管理装置とからなり、前記携帯通信端末の非使用時の画面である待受画面に広告の表示が可能な広告システムにおける広告表示方法であって、
前記広告管理装置は、前記端末管理装置に前記広告ページのＵＲＬを登録する第１のステップを有し、
前記端末管理装置は、
前記携帯通信端末の前記待受画面にインタネット上のページが設定されることにより、前記携帯通信端末から前記待受画面に設定された前記ページのＵＲＬが通知されると、通知されたＵＲＬが前記広告管理装置によって既に自身に登録されている場合はこのＵＲＬを広告管理装置へ通知する第２のステップと、
第２のステップの処理に基づくＵＲＬ通知に対し、そのＵＲＬが前記広告管理装置自身に登録されていることにより、前記広告管理装置から登録許可が通知されるとこの登録許可された登録ＵＲＬを前記携帯通信端末へ送信する第３のステップと、
第３のステップの処理に基づく登録ＵＲＬの送信に対し、前記携帯通信端末からのこのＵＲＬに該当する広告ページの広告データの送信要求を受信すると、前記サーバに前記ＵＲＬの広告データの送信要求を通知する第４のステップと、
第４のステップの処理に基づく前記サーバへの広告データの送信要求に対し、前記サーバから送信される広告データを受信するとこの受信広告データを前記携帯通信端末へ送信する第５のステップと、
さらに、前記携帯通信端末が、受信した前記広告データを前記待受画面に表示する第６のステップと
を含むことを特徴とする広告表示方法。
【請求項４】
請求項３において、
前記端末管理装置は、前記携帯通信端末から待受画面の解除に基づく解除情報が通知されると、この解除情報を広告管理装置へ通知する第７のステップを有することを特徴とする広告表示方法。
【発明の詳細な説明】
【技術分野】
【０００１】
本発明は、携帯通信端末の非使用時の画面を広告配信者側が制御可能な広告システム、広告表示方法及びプログラムに関する。
【背景技術】
【０００２】
近年の携帯電話機では、非使用時の画面（いわゆる、待受画面）に画像やカレンダー等を表示することができ、ユーザは、こうした携帯電話機の待受画面に自身の好みの文字や画像を設定して表示するようにしている。
【発明の開示】
【発明が解決しようとする課題】
【０００３】
一方、ユーザに対して広告情報を配信する場合、通常の郵便や電子メールを用いて広告を行ういわゆるダイレクトメールといわれる広告の配信手法があるが、こうした手法により広告を配信したとしても、ユーザがその内容を見ない可能性が高いという問題が生じている。
このため、広告配信者側では普及度や使用頻度の高い前述の携帯電話機を利用してその待受画面に広告を配信したいという要望がある。
【０００４】
したがって、本発明は、携帯通信端末を利用してその待受画面に広告を表示可能にすることを目的とする。
【課題を解決するための手段】
【０００５】
このような課題を解決するために本発明は、携帯通信端末と、携帯通信端末を管理する端末管理装置と、インタネットに接続され広告データが格納された複数の広告ページを有するサーバと、サーバの各広告ページを管理する広告管理装置とを含み、携帯通信端末の非使用時の画面である待受画面に広告の表示が可能な広告システムであって、広告管理装置は、端末管理装置に広告ページのＵＲＬを登録する手段を有し、端末管理装置は、携帯通信端末の待受画面にインタネット上のページが設定されることにより、携帯通信端末から前記ページのＵＲＬが通知されると、通知されたＵＲＬが広告管理装置によって既に自身に登録されている場合は前記ＵＲＬを広告管理装置へ通知する通知手段と、通知手段のＵＲＬ通知に対し、そのＵＲＬが広告管理装置自身に登録されていることにより、広告管理装置から登録許可が通知されるとこの登録許可された登録ＵＲＬを携帯通信端末へ送信する送信手段と、送信手段の登録ＵＲＬの送信に対し、携帯通信端末からのこのＵＲＬに該当する広告ページの広告データの送信要求を受信すると、サーバに前記ＵＲＬの広告データの送信要求を通知する手段と、サーバへの広告データの送信要求に対し、サーバから送信される広告データを受信するとこの受信広告データを携帯通信端末へ送信する手段を含み、さらに、携帯通信端末は、受信した広告データを待受画面に表示する表示手段を備えたことを特徴とする。
この場合、端末管理装置は、携帯通信端末から待受画面の解除に基づく登録解除が通知されると、この登録解除を広告管理装置へ通知する手段を有するものである。
【０００６】
また、本発明は、携帯通信端末と、携帯通信端末を管理する端末管理装置と、インタネットに接続され広告データが格納された複数の広告ページを有するサーバと、サーバの各広告ページを管理する広告管理装置とを含み、携帯通信端末の非使用時の画面である待受画面に広告の表示が可能な広告システムにおける広告表示方法であって、広告管理装置は、端末管理装置に広告ページのＵＲＬを登録する第１のステップを有し、端末管理装置は、携帯通信端末の待受画面にインタネット上のページが設定されることにより、携帯通信端末から前記ページのＵＲＬが通知されると、通知されたＵＲＬが広告管理装置によって既に自身に登録されている場合は前記ＵＲＬを広告管理装置へ通知する第２のステップと、第２のステップの処理によるＵＲＬ通知に対し、そのＵＲＬが広告管理装置自身に登録されていることにより、広告管理装置から登録許可が通知されるとこの登録許可された登録ＵＲＬを携帯通信端末へ送信する第３のステップと、第３のステップの処理による登録ＵＲＬの送信に対し、携帯通信端末からこのＵＲＬに該当する広告ページの広告データの送信要求を受信すると、サーバに前記ＵＲＬの広告データの送信要求を通知する第４のステップと、サーバへの広告データの送信要求に対し、サーバから送信される広告データを受信するとこの受信広告データを携帯通信端末へ送信する第５のステップを含み、さらに、携帯通信端末は、受信した広告データを待受画面に表示する第６のステップを有することを特徴とする。
この場合、端末管理装置は、携帯通信端末から待受画面の解除に基づく登録解除が通知されると、この登録解除を広告管理装置へ通知する第７のステップを有するものである。
【発明の効果】
【０００７】
本発明によれば、携帯通信端末が広告表示端末であることを示す第１の情報及び携帯通信端末側が希望する広告配信者を示す第２の情報の登録要求が行われると、該当広告配信装置へ第１の情報を含む登録要求通知を行い、この登録要求通知に対して広告配信装置から登録許可が通知されると、第１及び第２の情報を登録するとともに、登録許可を通知した広告配信装置から広告データが送信されると登録手段の登録情報に基づき携帯通信端末へこの広告データを配信し待受画面に表示させるようにしたので、広告配信者側では携帯通信端末に広告を配信してその待受画面に表示させることができ、普及度や使用頻度の高い携帯電話機に広告表示が可能となることから、従来の広告配信手段に比べ一層の広告効果を期待できる。
【０００８】
また、携帯通信端末の非使用時におけるインタネットのページの設定に基づき携帯通信端末から前記ページのＵＲＬが通知されると、通知されたＵＲＬが登録されている場合はＵＲＬを広告管理装置へ通知するとともに、このＵＲＬ通知に対し、広告管理装置から登録許可が通知されるとこの登録ＵＲＬを携帯通信端末へ送信し、携帯通信端末からこの登録ＵＲＬに該当する広告ページの広告データの送信が要求されると、サーバに広告データの送信を要求して、サーバからの広告データを携帯通信端末の待受画面に表示するようにしたので、同様に広告配信者側ではインタネットの自身の広告ページの広告を携帯通信端末に配信してその待受画面に表示させることができ、従来の広告配信手段に比べ同様に一層の広告効果が期待できる。
【発明を実施するための最良の形態】
【０００９】
以下、本発明について図面を参照して説明する。
（第１の実施の形態）
図１は、本発明に係る広告システムの第１の実施の形態を示すブロック図である。図１において、本システムは、配信された広告情報を待受画面に表示する携帯通信端末である自動表示端末１ａ，１ｂと、自動表示端末１ａ，１ｂを後述する端末情報に基づき管理するとともに、自動表示端末１ａ，１ｂの通信制御及び自動表示端末１ａ，１ｂに対する課金などを行う端末・通信管理システム２と、自動表示端末１ａ，１ｂに広告情報を配信する広告配信システム３ａ，３ｂと、端末・通信管理システム２に対して端末情報（即ち、例えば自動表示端末１ａ，１ｂを識別するための端末電話番号等の端末識別情報）の登録及び解除を行う入力装置８とからなる。
【００１０】
さて、以上のように構成されたシステムの動作を説明する。
まず、本システムの管理者が入力装置８を用いて端末・通信管理システム２に対し、例えば端末１ａが広告自動表示端末であるという情報と、端末１ａが希望する広告配信システム（広告配信者）の登録要求を行う。この場合、ユーザの端末１ｂ自身からその端末１ｂが広告自動表示端末であるという情報と、その端末１ｂが希望する広告配信システム（広告配信者）の登録要求を行うことも可能である。こうした、ユーザの端末による登録要求方法はユーザ自身が自身の端末を用いて自身の端末に広告の自動表示を行うか否かを設定できる点で有効である。
【００１１】
図１において、端末１ａが広告配信システム３ａへの登録を希望し、端末１ｂが広告配信システム３ｂへの登録を希望したとする。
この場合、端末・通信管理システム２は、広告配信システム３ａに対して、端末１ａが広告自動表示端末であるという情報をこの端末１ａの前記端末情報とともに通知し、広告配信システム３ｂに対しては端末１ｂが広告自動表示端末であるという情報を端末１ｂの端末情報とともに通知する。
【００１２】
このような端末・通信管理システム２からの通知に対し、広告配信システム３ａでは、自身に端末１ａの端末情報が登録されているか否かに応じ、端末１ａの登録許可・拒否を端末・通信管理システム２へ通知し、また広告配信システム３ｂは、自身に端末１ｂの端末情報が登録されているか否かに応じ、端末１ｂの登録許可・拒否を端末・通信管理システム２へ通知する。
端末・通信管理システム２は、端末１の登録が許可された場合、端末情報および広告配信元（広告配信システム３ａ，３ｂ）を登録するとともに、登録したこれらの情報をもとに通信料の課金先の変更等を行うことができる。なお、広告配信システム３により端末１の登録が拒否された場合は、端末・通信管理システム２は登録拒否された端末１ａまたは１ｂに登録失敗通知を出す。
【００１３】
端末・通信管理システム２において端末情報および広告配信元の登録が完了したら、広告配信システム３ａは、端末１ａへの広告データを端末・通信管理システム２へ送信するとともに、広告配信システム３ｂは、端末１ｂへの広告データを端末・通信管理システム２へ送信する。なお、広告配信システム３は、端末・通信管理システム２から広告自動表示端末であるという情報がその端末１の端末情報とともに通知されると、該当端末１の登録許可が設定されている場合は、任意のタイミングで広告データを送信することができる。
【００１４】
端末・通信管理システム２は、広告配信システム３ａからの広告データを受信すると自動表示データとして指定端末１ａへ送信し、広告配信システム３ｂからの広告データを受信すると自動表示データとして指定端末１ｂへ送信する。自動表示端末１ａは自動表示データを受信すると待受画面に表示する一方、自動表示端末１ｂは自動表示データを受信すると待受画面に表示する。なお、広告配信システム３ａが端末１ｂ宛に広告データを送信した場合は、端末・通信管理システム２はその広告データの送信を行わない。
【００１５】
ここで、端末１のユーザが広告配信をとめたい場合、端末・通信管理システム２に対し広告自動表示端末であるという情報と、配信停止を希望する配信元（即ち、広告配信システム３）を通知する。即ち、端末１ａの利用者が広告配信をとめたい場合は、システム管理者の入力により入力装置８から端末・通信管理システム２に対し、端末１ａが広告自動表示端末であるという情報と、広告配信の停止を希望する広告配信システム３ａの識別情報とを通知し、広告配信の登録を解除させる。また、端末１ｂの利用者が広告配信をとめたい場合は、自身が端末１ｂを操作することにより、端末１ｂから端末・通信管理システム２に対し、端末１ｂが広告自動表示端末であるという情報と、広告配信の停止を希望する広告配信システム３ｂの識別情報とを通知し、広告配信の登録を解除させる。この際、端末・通信管理システム２は広告配信システム３ａ，３ｂに登録解除を通知する。
【００１６】
図２は、図１に示す第１の実施の形態のシステムにおける要部動作を示すシーケンス図である。このシーケンス図に基づき本システムの要部動作を説明する。
ステップＳ１で、端末１が広告自動表示端末であるという情報と、その端末１が希望する広告配信システム３の登録要求が行われると、端末・通信管理システム２はステップＳ２で、該当広告配信システム３に対して端末１が広告自動表示端末であるという情報をその端末１の端末情報とともに通知する。
【００１７】
このような端末・通信管理システム２からの通知に対し、広告配信システム３では、ステップＳ３で端末１の登録許可・拒否を端末・通信管理システム２へ通知する。端末・通信管理システム２は、広告配信システム３から端末１の登録が許可された場合、その端末１の端末情報と、この端末情報と対に広告配信元（広告配信システム３）を登録する。また、広告配信システム３により端末の登録が拒否された場合は、端末・通信管理システム２は登録拒否された端末１に登録失敗通知を出す。
【００１８】
端末・通信管理システム２において端末情報および広告配信元の登録が完了すると、広告配信システム３はステップＳ４で端末１への広告データを端末・通信管理システム２へ送信する。端末・通信管理システム２は、広告配信システム３からの広告データを受信すると、登録情報に基づきこの受信データをステップＳ５で自動表示データとして指定端末１へ送信する。自動表示端末１はこの自動表示データを受信するとステップＳ６でこの受信データを待受画面に自動表示する。
【００１９】
また、広告配信システム３は端末１の登録解除が通知されない限りは、その端末１への次の広告データがあるときには、ステップＳ７でその広告データを端末・通信管理システム２へ送信する。端末・通信管理システム２は、広告配信システム３からの広告データを受信すると、登録情報に基づきこの受信データをステップＳ８で自動表示データとして指定端末１へ送信する。自動表示端末１はこの自動表示データを受信するとステップＳ９でこの受信データを待受画面に自動表示する。
【００２０】
ここで、端末１の利用者が広告配信を停止するためにステップＳ１０で、入力装置８または端末１から端末・通信管理システム２に対して、広告自動表示端末であるという情報と、広告配信の停止を希望する配信元（広告配信システム３）とをその端末１の端末情報とともに通知する登録解除要求が行われると、端末・通信管理システム２ではこの端末１の端末情報と対応の配信元情報の登録を解除するとともに、この登録解除をステップＳ１１で広告配信システム３に通知する。これにより、以降のステップＳ１２で広告配信システム３から広告データが端末・通信管理システム２へ送信されてきても、端末・通信管理システム２は該当端末１へのその広告データの配信を行わない。
【００２１】
このように、広告配信者から配信された広告データを携帯通信端末の非使用時の画面に表示可能にしたものである。
なお、図２のシーケンスに示す自動表示端末１ａ，１ｂ、端末・通信管理システム２及び広告配信システム３ａ，３ｂの動作は、自動表示端末１ａ，１ｂ、端末・通信管理システム２及び広告配信システム３ａ，３ｂの図示しない各ＣＰＵ（コンピュータ）がそれぞれのプログラムを実行することにより実現される。
【００２２】
（第２の実施の形態）
図３は、本システムの第２の実施の形態を示すブロック図である。第２の実施の形態では、インタネットの特定ページの広告データを携帯通信端末の待受画面に表示する例を示すものである。
図３において、本システムは、配信された広告データを待受画面に表示する携帯通信端末である通信端末４０と、通信端末４０をその端末情報に基づき管理するとともに、通信端末４０の通信制御及び通信端末４０に対する課金などを行う端末・通信管理システム４１と、インタネット上に接続されるとともに各広告ページを有し、各広告ページの広告データを通信端末４０へ配信するインタネット広告サーバ４２と、インタネット広告サーバ４２の広告ページを管理する広告管理システム４３とからなる。
【００２３】
図４は、図３に示すシステムの動作を示すシーケンス図である。図３及び図４に基づき第２の実施の形態のシステムの動作を説明する。
インタネット広告サーバ４２から通信端末４０への広告データの配信に先立ち、広告管理システム４３はステップＳ２１でインタネットの広告ページのＵＲＬを端末・通信管理システム４１に登録する。
ここで、通信端末４０のユーザがその通信端末４０の待受画面にインターネット上のページを設定すると、通信端末４０はステップＳ２２でその待受画面に設定されたページのＵＲＬを端末・通信管理システム４１に通知する。
【００２４】
端末・通信管理システム４１は、通信端末４０から通知されたＵＲＬを、広告管理システム４３により登録されている広告ページのＵＲＬ群から検索し、該当のＵＲＬが登録されている場合は、ステップＳ２３でそのＵＲＬを広告管理システム４３に通知する。
【００２５】
端末・通信管理システム４１からＵＲＬの登録通知を受けた広告管理システム４３は、自身にそのＵＲＬが登録されているか否かに応じ、ステップＳ２４で端末・通信管理システム４１に登録の許可・拒否を通知する。端末・通信管理システム４１は広告管理システム４３から登録許可通知を受けた場合は、この通信端末４０の電話番号等の端末情報と、広告管理元情報（即ち、広告管理システム４３の識別情報等）を登録する。端末・通信管理システム４１はこの登録情報をもとに通信料の課金先の変更等を行うことができる。なお、端末・通信管理システム４１は、広告管理システム４３から登録拒否通知を受けた場合は通信端末４０に対し登録失敗を通知する。
【００２６】
広告管理システム４３は、こうした端末・通信管理システム４１による端末情報及び広告管理元情報の登録完了後、ステップＳ２５で通信端末４０宛の登録ＵＲＬを端末・通信管理システム４１へ送る。端末・通信管理システム４１は広告管理システム４３から通信端末４０宛の登録ＵＲＬを受信すると、ステップＳ２６でこの登録ＵＲＬを通信端末４０へ送る。
【００２７】
登録ＵＲＬを受け取った通信端末４０は、インタネット広告サーバ４２に対しステップＳ２７で登録ＵＲＬの広告データの送信要求を行う。この広告データの送信要求は一旦端末・通信管理システム４１で受信され、端末・通信管理システム４１からステップＳ２８でインタネット広告サーバ４２へ通知される。インタネット広告サーバ４２は、この広告データ送信要求を受信すると、ステップＳ２９でこの登録ＵＲＬに該当する広告ページのデータを送信する。この広告ページデータは、一旦端末・通信管理システム４１で受信され、端末・通信管理システム４１からステップＳ３０で通信端末４０へ送信される。通信端末４０は、この広告データを受信するとステップＳ３１で待受画面に表示する。
【００２８】
また、広告管理システム４３は、広告ページの内容が更新されたときには、ステップＳ２５で通信端末４０宛の更新情報と登録ＵＲＬを含む更新通知を端末・通信管理システム４１へ送る。端末・通信管理システム４１は、広告管理システム４３からの更新通知を受信すると、ステップＳ２６でこの更新通知を通信端末４０へ送る。なお、このとき端末・通信管理システム４１は、通信端末４０の登録ＵＲＬと無関係の更新情報は通知しない。
【００２９】
更新通知を受け取った通信端末４０は、インタネット広告サーバ４２に対しステップＳ２７で登録ＵＲＬの広告データの送信要求を行う。この広告データの送信要求は一旦端末・通信管理システム４１で受信され、端末・通信管理システム４１からステップＳ２８でインタネット広告サーバ４２へ通知される。インタネット広告サーバ４２は、この広告データ送信要求を受信すると、ステップＳ２９で該当の広告ページデータを送信する。この広告ページデータは、一旦端末・通信管理システム４１で受信され、端末・通信管理システム４１からステップＳ３０で通信端末４０へ送信される。通信端末４０は、この広告データを受信するとステップＳ３１で待受画面に表示する。
【００３０】
ここで、ユーザが通信端末４０の待受画面の設定を解除すると、通信端末４０はステップＳ３２で登録解除通知を端末・通信管理システム４１に送る。登録解除通知を受けた端末・通信管理システム４１は、この通信端末４０の端末情報と広告管理元情報の登録解除を行い、かつ広告管理システム４２にステップＳ３３で通信端末４０の登録解除の旨を通知する。
【００３１】
なお、図４のシーケンスに示す通信端末４０、端末・通信管理システム４１、インタネット広告サーバ４２及び広告管理システム４３の動作は、通信端末４０、端末・通信管理システム４１、インタネット広告サーバ４２及び広告管理システム４３の図示しない各ＣＰＵ（コンピュータ）がそれぞれのプログラムを実行することにより実現される。
【００３２】
このように、本発明は、広告配信システム３またはインターネット広告サーバ４２から広告データを携帯通信端末に配信して携帯通信端末の非使用時の画面に表示可能にしたものである。したがって、広告配信者にとってはより大きな広告効果を得ることができる。一方、端末ユーザにとっては通常の利用を妨げない広告スペースを広告配信者側に提供することができる。したがって、広告配信者が広告配信の対価として端末ユーザの通信費及び端末価格の一部を負担するようにすれば、端末ユーザ側では通信費の割引が期待できるとともに、端末が安価で入手できるという効果が得られる。
【図面の簡単な説明】
【００３３】
【図１】本発明に係る広告システムの第１の実施の形態を示すブロック図である。
【図２】図１の広告システムを構成する各部の動作を示すシーケンス図である。
【図３】上記広告システムの第２の実施の形態を示すブロック図である。
【図４】図３に示す広告システムを構成する各部の動作を示すシーケンス図である。
【符号の説明】
【００３４】
１ａ，１ｂ…自動表示端末、２，４１…端末・通信管理システム、３ａ，３ｂ…広告配信システム、８…入力装置、４０…通信端末、４２…インタネット広告サーバ、４３…広告管理システム。
【図１】
0004841608.tif 000002
【図２】
0004841608.tif 000003
【図３】
0004841608.tif 000004
【図４】
0004841608.tif 000005